(57)【要約】【課題】パレットの回収に係る手間を省略することが可能な建築材料の輸送方法を提供することを目的とする。【解決手段】横にした複数の長尺部材２…と、複数の長尺部材２…の上面間に架設される上面板材３と、を備える木製のパレット１の上面に、建物等の建築現場で用いられる各種建築材料を載置して当該建築現場に輸送し、建築現場に輸送後、各種建築材料を荷下ろしするとともに、パレット１を解体して複数の長尺部材２…および上面板材３を建築材料として用いる。これにより、複数の長尺部材および上面板材をパレットの構成部材として、また建築材料として両用できるので、パレットの回収に係る手間が無くなる。【選択図】図１
2014141259.tif 000002
【特許請求の範囲】
【請求項１】
横にした複数の長尺部材と、
前記複数の長尺部材の上面間に架設される上面板材と、
を備える木製のパレットの上面に、建物等の建築現場で用いられる各種建築材料を載置して当該建築現場に輸送し、
建築現場に輸送後、前記各種建築材料を荷下ろしするとともに、前記パレットを解体して前記複数の長尺部材および前記上面板材を建築材料として用いることを特徴とする建築材料の輸送方法。
【請求項２】
請求項１に記載の建築材料の輸送方法において、
前記長尺部材は、前記建築現場に建築される建物の骨組みを構成する柱等の構造材であることを特徴とする建築材料の輸送方法。
【請求項３】
請求項１または２に記載の建築材料の輸送方法において、
前記パレットは、前記複数の長尺部材の下面間に架設される下面板材を備えており、
建築現場に輸送後、前記下面板材を建築材料として用いることを特徴とする建築材料の輸送方法。
【請求項４】
請求項３に記載の建築材料の輸送方法において、
前記上面板材および前記下面板材は、前記建築現場に建築される建物の壁面や床面を構成する構造材であることを特徴とする建築材料の輸送方法。
【請求項５】
請求項１〜４のいずれか一項に記載の建築材料の輸送方法において、
前記パレットは、当該パレットの下面に長さ方向に沿って設けられるとともに、当該パレットを支持する長尺な複数の脚材を備えており、
建築現場に輸送後、前記複数の脚材を建築材料として用いることを特徴とする建築材料の輸送方法。
【請求項６】
請求項１〜５のいずれか一項に記載の建築材料の輸送方法において、
前記パレットは、当該パレットに外側に突出するようにして設けられるとともに、当該パレットを移動させる際に用いる索状体を引っ掛けるための棒状部材を備えており、
建築現場に輸送後、前記棒状部材を建築材料として用いることを特徴とする建築材料の輸送方法。
【発明の詳細な説明】
【技術分野】
【０００１】
本発明は、建築材料の輸送方法に関する。
【背景技術】
【０００２】
例えば建築材料等の物品を載せて輸送するためのパレットとして、木製、金属製、樹脂製、紙製等のものが挙げられる。また、特許文献１に記載のような樹脂製パレットは、比較的軽量で、かつ強度も高いため、国内輸送時においても、また海外輸出時においても好適に用いられる。
【先行技術文献】
【特許文献】
【０００３】
【特許文献１】特開２００３−３１２６６４号公報
【発明の概要】
【発明が解決しようとする課題】
【０００４】
しかしながら、上述のような樹脂製パレットは、製造コストの低減が困難であるという問題があった。そこで、製造コストの低い木製パレットを使用したいという要望がある。
ところが、近年、産業廃棄物処理等についての世論の高まりを反映し、輸出時に使用されるパレットも、回収して再利用できるリターナブル方式が強く望まれている。木製パレットについても回収して再利用することが考えられるが、輸出先から自国に持ち帰るためには、回収した一つ一つのパレットに、細菌やカビ、害虫等の繁殖を防ぐための殺菌処理等を行う必要があり、パレットの回収に手間がかかるという問題がある。
【０００５】
本発明の課題は、パレットの回収に係る手間を省略することが可能な建築材料の輸送方法を提供することを目的とする。
【課題を解決するための手段】
【０００６】
請求項１に記載の発明は、建築材料の輸送方法であって、例えば図１〜図８に示すように、横にした複数の長尺部材２…と、
前記複数の長尺部材２…の上面間に架設される上面板材３と、
を備える木製のパレット１の上面に、建物等の建築現場で用いられる各種建築材料を載置して当該建築現場に輸送し、
建築現場に輸送後、前記各種建築材料を荷下ろしするとともに、前記パレット１を解体して前記複数の長尺部材２…および前記上面板材３を建築材料として用いることを特徴とする。
【０００７】
請求項１に記載の発明によれば、前記複数の長尺部材２…および前記上面板材３を建築材料として用いることができるので、当該複数の長尺部材２…および上面板材３は、前記各種建築材料とともに前記建物等の建築に用いられることになる。すなわち、前記複数の長尺部材２…および前記上面板材３を前記パレット１の構成部材として、また建築材料として両用できる。これによって、前記パレット１の回収に係る手間が無くなるので、産業廃棄物処理等についての問題も解消できる。さらに、建築材料の確保も可能となるので都合が良い。
【０００８】
請求項２に記載の発明は、請求項１に記載の建築材料の輸送方法において、
前記長尺部材２は、前記建築現場に建築される建物の骨組みを構成する柱等の構造材であることを特徴とする。
【０００９】
請求項２に記載の発明によれば、前記長尺部材２は、前記建物を構成するに足る強度を有するため、このような長尺部材２によって構成される前記パレット１の強度も高めることができる。
【００１０】
請求項３に記載の発明は、請求項１または２に記載の建築材料の輸送方法において、
前記パレット１は、前記複数の長尺部材２…の下面間に架設される下面板材４を備えており、
建築現場に輸送後、前記下面板材４を建築材料として用いることを特徴とする。
【００１１】
請求項３に記載の発明によれば、前記下面板材４を前記パレット１の構成部材として、また建築材料として両用できるので、前記パレット１の回収に係る手間を無くすことができ、都合がよい。また、前記長尺部材２および前記上面板材３とは別の建築材料を確保できることになる。
【００１２】
請求項４に記載の発明は、請求項３に記載の建築材料の輸送方法において、
前記上面板材３および前記下面板材４は、前記建築現場に建築される建物の壁面や床面を構成する構造材であることを特徴とする。
【００１３】
請求項４に記載の発明によれば、前記上面板材３および前記下面板材４は、前記建物を構成するに足る強度を有するため、このような上面板材３および下面板材４によって構成される前記パレット１の強度も高めることができる。
【００１４】
請求項５に記載の発明は、請求項１〜４のいずれか一項に記載の建築材料の輸送方法において、
前記パレット１は、当該パレット１の下面に長さ方向に沿って設けられるとともに、当該パレット１を支持する長尺な複数の脚材５…を備えており、
建築現場に輸送後、前記複数の脚材５…を建築材料として用いることを特徴とする。
【００１５】
請求項５に記載の発明によれば、前記パレット１の下面に前記複数の脚材５…が設けられるので、前記パレット１をスライドさせて移動させる際に、例えば前記パレット１の下面全体が地面等に接する場合に比してスライドさせやすくなる。
また、前記複数の脚材５…を前記パレット１の構成部材として、また建築材料として両用できるので、前記パレット１の回収に係る手間を無くすことができ、都合がよい。また、前記長尺部材２および前記上面板材３とは別の建築材料を確保できることになる。
【００１６】
請求項６に記載の発明は、請求項１〜５のいずれか一項に記載の建築材料の輸送方法において、
前記パレット１は、当該パレット１に外側に突出するようにして設けられるとともに、当該パレット１を移動させる際に用いる索状体を引っ掛けるための棒状部材６を備えており、
建築現場に輸送後、前記棒状部材６を建築材料として用いることを特徴とする。
【００１７】
請求項６に記載の発明によれば、前記パレット１に前記棒状部材６が設けられるので、前記索状体を用いて前記パレット１を移動させる際に、例えば前記索状体を前記パレット１や当該パレット１の上面に載置される前記各種建築材料に巻きつける場合に比して、前記索状体を引っ掛けやすく、前記パレット１を移動させやすい。
また、前記棒状部材６を前記パレット１の構成部材として、また建築材料として両用できるので、前記パレット１の回収に係る手間を無くすことができ、都合がよい。また、前記長尺部材２および前記上面板材３とは別の建築材料を確保できることになる。
【発明の効果】
【００１８】
本発明によれば、複数の長尺部材および上面板材を建築材料として用いることができるので、当該複数の長尺部材および上面板材は、各種建築材料とともに建物等の建築に用いられることになる。すなわち、複数の長尺部材および上面板材をパレットの構成部材として、また建築材料として両用できる。これによって、パレットの回収に係る手間が無くなるので、産業廃棄物処理等についての問題も解消できる。
【図面の簡単な説明】
【００１９】
【図１】パレットを示す平面図である。
【図２】パレットを示す底面図である。
【図３】図１のＡ−Ａ断面図である。
【図４】図１のＢ−Ｂ断面図である。
【図５】棒状部材が設けられたパレットを示す拡大斜視図である。
【図６】パレットを構成する各種建築材料によって形成される建物の一部を示す拡大斜視図である。
【図７】長尺部材の組み合わせ例を示す平面図である。
【図８】パレットの他の実施例を示す平面図である。
【発明を実施するための形態】
【００２０】
以下、図面を参照して本発明の実施の形態について説明する。
図１〜図４において符号１は、パレットを示す。このパレット１は、建築材料等の物品を載せて輸送するための荷役台であり、大部分が木製である。
また、このパレット１は、複数の長尺部材２…と、上面板材３と、下面板材４と、複数の脚材５…と、棒状部材６と、を備える。
なお、本実施の形態における建築材料とは、建築の現場で使用可能なものを指し、特に柱や梁、面材等の各種構造材を始め、内外装材等の仕上げ材、塗料や接着剤等の補助材料、部材同士を接合する接合金物、ボルトやビス等の止着材、その他現場における作業で使用される各種工具等も含むものとする。
【００２１】
前記長尺部材２は、横にした状態で用いられるものであり、前記パレット１の骨格となる。前記パレット１を構成する際は、少なくとも二本以上用いられており、本実施の形態では三本の長尺部材２が用いられている。
複数の長尺部材２…は平行離間し、かつ等間隔に配置されている。本実施の形態においては、前記パレット１の両端部のそれぞれに長尺部材２が配置されるとともに、これら両端部の長尺部材２，２の中間に一本の長尺部材２が配置されている。
また、これら複数の長尺部材２…は高さが略等しくなるように設定されている。なお、本実施の形態では、図３に示すように、複数の長尺部材２…の幅寸法も略等しく設定されているが、幅寸法については不等であってもよいものとする。
【００２２】
また、前記長尺部材２は、原木を切り出すことによって得られるラミナ（ひき板）または小角材などを、繊維方向を互いに略平行にし、厚さ・幅・長さの方向に集成接着することにより角材や厚板材として形成される、いわゆる集成材である。すなわち、本実施の形態の長尺部材２は角材として形成された集成材である。
さらに、長尺部材２は、住宅等の建物の土台や大引、柱、梁等として利用し得る程度の強度を有する構造用集成材である。すなわち、この長尺部材２は、建物の骨組みを構成する柱等の構造材（建築材料）として用いることができる。
【００２３】
また、前記複数の長尺部材２…のうち、両端部に位置する前記長尺部材２，２のそれぞれには、図１，図２，図４に示すように、後述する棒状部材６を取り付けるための取付孔部７が形成されている。
これら取付孔部７，７は、前記複数の長尺部材２…を厚さ方向（図３における左右方向）に貫通するようにして形成されている。そして、これら取付孔部７，７は、後述する上面板材３のうち、前記パレット１の一端部側に位置する上面板材３のパレット中央側端部の下方に配置されている。
【００２４】
なお、前記パレット１は、一本の長尺な長尺部材２を複数用いて構成されるが、図７に示すように、複数の長尺部材２ａ…を接いだものを用いてもよいものとする。また、このように複数の長尺部材２ａ…を接ぐ場合は、互いの側面同士を接合する。これによって、一本分の長尺部材２と略等しい高さに設定することが可能となる。
【００２５】
前記上面板材３は、図１，図３，図４に示すように、前記複数の長尺部材２…の上面間に架設されるものである。すなわち、この上面板材３は、前記複数の長尺部材２…同士を繋ぐ繋ぎ材として機能する。
なお、この上面板材３は、単数または複数用いられるものであり、本実施の形態では複数の上面板材３…が用いられている。すなわち、これら複数の上面板材３…は、前記複数の長尺部材２…の長さ方向に間隔を空けて配置されている。また、複数の上面板材３…を用いる場合は、その厚みを統一することが好ましい。
図示はしないが、単数の場合は、前記複数の長尺部材２…の長さ方向に長尺な上面板材を用いて前記パレット１を構成する。
【００２６】
前記複数の上面板材３…は、平面視において矩形状に形成されているが、これに限られるものではなく、例えば台形や三角形等を始め、様々な形状に形成されていてもよい。また、様々なサイズに設定されていてもよい。
また、複数の上面板材３…のうち、前記パレット１の両端部に位置する上面板材３，３と、前記パレット１の一端部に位置する上面板材３から所定の間隔を空けて配置される上面板材３とが、他の上面板材３…よりも幅広に形成されている。すなわち、これら三つの幅広の上面板材３，３，３の前記パレット１の長さ方向に沿う長さが、他の幅狭の上面板材３…の前記パレット１の長さ方向に沿う長さより長くなるように設定されている。
【００２７】
前記パレット１の両端部に位置する幅広の上面板材３，３（一端部側の幅広の上面板材３，他端部側の幅広の上面板材３）は、前記パレット１の強度の向上に貢献するものである。
前記パレット１の一端部に位置する幅広の上面板材３から所定の間隔を空けて配置される幅広の上面板材３（中央側の幅広の上面板材３）は、前記パレット１の強度の向上に貢献するとともに、フォークリフトのフォークの先端位置に対応している。つまり、フォークリフトによってパレット１を持ち上げる際には、当該中央側の幅広の上面板材３と前記一端部側の幅広の上面板材３とにフォークが当たるようにする。
【００２８】
なお、前記中央側と一端部側の幅広の上面板材３，３と、これら幅広の上面板材３，３間に設けられる複数の上面板材３，３は等間隔に配置されている。
さらに、前記中央側の幅広の上面板材３と前記他端部側の幅広の上面板材３と、これら幅広の上面板材３，３間に設けられる複数の上面板材３，３，３は等間隔に配置されている。
【００２９】
また、前記上面板材３は、合板やパーティクルボード等の木質ボードである。さらに、上面板材３は、住宅等の建物の壁面（壁下地）や床面（床下地）として利用し得る程度の強度を有するものである。すなわち、この上面板材３は、建物の壁面（壁下地）や床面（床下地）等を構成する構造材（建築材料）として用いることができる。
【００３０】
前記脚材５は、図２〜図４に示すように、前記パレット１の下面に長さ方向に沿って設けられるとともに、当該パレット１を支持する長尺な部材である。前記パレット１を構成する際は、少なくとも二本以上用いられており、本実施の形態では三本の脚材５が用いられている。
これら複数の脚材５…は平行離間し、かつ等間隔に配置されている。本実施の形態においては、前記パレット１の両端部のそれぞれに脚材５，５が配置されるとともに、これら両端部の脚材５，５の中間に一本の脚材５が配置されている。
また、これら複数の脚材５…は高さが略等しくなるように設定されている。なお、本実施の形態では、図３に示すように、複数の脚材５…の幅寸法も略等しく設定されているが、幅寸法については不等であってもよいものとする。
【００３１】
より詳細に説明すると、本実施の形態の複数の脚材５…のそれぞれは、図２，図３に示すように、前記複数の長尺部材２…の下面に取り付けられている。
両端部に位置する脚材５，５は、両端部に位置する前記長尺部材２，２の下面の外側縁部に沿って配置されており、中間に位置する脚材５は、中間に位置する前記長尺部材２の下面の中心に沿って配置されている。
【００３２】
また、前記複数の脚材５…のうち、中間に位置する脚材５の長さ方向両端部は、下方から上方に向かって迫り上がるようにして傾斜した傾斜部５ａ，５ａとされている。本実施の形態では中間に位置する脚材５のみが、両端部に傾斜部５ａ，５ａを有した状態に形成されているが、前記パレット１の両端部に位置する脚材５，５も同様に、長さ方向両端部に傾斜部５ａ，５ａが形成されていてもよいものとする。
このような傾斜部５ａ，５ａが前記脚材５の長さ方向両端部に形成されることによって、前記パレット１をスライドさせて移動させる際に、当該脚材５が地面等に引っ掛かりにくくなる。
【００３３】
また、前記複数の脚材５…には、図４に示すように、前記パレット１の上面に載置される物品を結束するためのバンド（例えば、いわゆるＰＰバンド等）を挿通させるための挿通孔５ｂ…が複数形成されている。
これら複数の挿通孔５ｂ…は、前記脚材５を厚さ方向（図３における左右方向）に貫通するようにして形成され、前記脚材５の長さ方向に所定の間隔で配置されている。
また、複数の脚材５…のそれぞれに形成された挿通孔５ｂは、互いに等しい間隔で配置されており、前記バンド（図示しない）を左右（図３における左右方向）に真っ直ぐ挿通させることができるようになっている。
【００３４】
また、前記脚材５は、合板やパーティクルボード等の木質ボードを長尺な部材として加工したものである。さらに、脚材５は、住宅等の建物の構成材として利用し得る程度の強度を有するものである。すなわち、この脚材５は、建物の構造材（建築材料）として用いることができる。
【００３５】
前記下面板材４は、図２〜図４に示すように、前記複数の長尺部材２…の下面間に架設されるものである。すなわち、この下面板材４は、前記複数の長尺部材２…同士を繋ぐ繋ぎ材として機能する。
なお、この下面板材４は、単数または複数用いられるものであり、本実施の形態では複数の下面板材４…が用いられている。
すなわち、これら複数の下面板材４…は、前記両端部に位置する脚材５，５と、前記中間に位置する脚材５との間に配置されている。そして、前記複数の長尺部材２…に対して取り付けられている。また、これら複数の下面板材４…は、前記複数の長尺部材２…の長さ方向に略等しい間隔を空けて配置されている。
【００３６】
また、複数の下面板材４…を用いる場合は厚みを統一することが好ましいが、本実施の形態においては、厚みだけでなく、全体のサイズが略等しくなるように設定されている。
図示はしないが、単数の場合は、前記複数の長尺部材２…の長さ方向に長尺な下面板材を用いて前記パレット１を構成する。
また、前記複数の下面板材４…は、底面視において矩形状に形成されているが、これに限られるものではなく、例えば台形や三角形等を始め、様々な形状に形成されていてもよい。
【００３７】
また、前記下面板材４は、合板やパーティクルボード等の木質ボードである。さらに、下面板材４は、住宅等の建物の壁面（壁下地）や床面（床下地）として利用し得る程度の強度を有するものである。すなわち、この下面板材４は、建物の壁面（壁下地）や床面（床下地）等を構成する構造材（建築材料）として用いることができる。
【００３８】
なお、本実施の形態の複数の下面板材４…は、前記複数の脚材５…間に配置されているものとしたが、これに限られるものではない。
すなわち、本実施の形態の下面板材４は、前記中間に位置する脚材５で左右に分割された状態となっているが、両端部に位置する長尺部材２，２間にわたる長さに形成された下面板材を用いるようにしてもよい。
そして、このような下面板材を前記複数の長尺部材２…の長さ方向に間隔を空けて複数配置し、その下方から前記複数の脚材５…を取り付けるようにしてもよいものとする。
【００３９】
前記棒状部材６は、図５に示すように、前記パレット１に外側に突出するようにして設けられるとともに、当該パレット１を移動させる際に用いる索状体を引っ掛けるためのものである。
前記棒状部材６は、単数または複数用いられるものであり、本実施の形態では複数の棒状部材６，６…が用いられている。
すなわち、これら複数の棒状部材６，６は、前記両端部に位置する長尺部材２，２に形成された前記取付孔部７，７に挿通され、前記両端部に位置する長尺部材２，２の側面から側方に突出するようにして設けられている。
なお、本実施の形態の取付孔部７，７は、前記パレット１の一端部側にのみ形成されているが、前記パレット１の他端部側に形成されてもよいものとする。
【００４０】
前記索状体としては、例えばワイヤーロープやチェーン、スリングベルト等を含み、前記棒状部材６に対して巻き付けられて引っ掛けられたり、端部に環状部分を有し、この環状部分が引っ掛けられたりするものを指す。
【００４１】
前記棒状部材６は、図６に示すように、横にした構造材（土台）である長尺部材２と、この長尺部材２の上面に立設される構造材（柱）である長尺部材２とを接合するための金物である。すなわち、この棒状部材６は、前記長尺部材２，２同士を接合する接合金物（建築材料）として用いることができる。
また、この棒状部材６は、いわゆるホールダウンパイプと称されるものであり、前記長尺部材２，２同士を接合する際には、埋設部材８とセットで用いられる。なお、現場で建築される建物によって使用される接合金物の形状やサイズ、材質等（すなわち、種類）に違いが生じる場合もあるため、本実施の形態のホールダウンパイプの種類としては特に限定されるものではない。
なお、本実施の形態の棒状部材６として、上述のようなホールダウンパイプを採用したが、これに限られるものではなく、例えばアンカーボルト等を始めとするホールダウン金物等のような比較的長尺な補強金物でもよいし、現場で使用される各種工具であってもよい。すなわち、前記棒状部材６としては、上述のような建築の現場で使用可能なものとしての建築材料であり、かつ前記取付孔部７に挿通可能な長尺な棒状体であれば、特に限定されるものではない。ただし、各種物品が載置された状態のパレット１を、当該棒状部材６を利用して移動させるため、当該棒状部材６には、ある程度の剛性の高さが不可欠であることは言うまでもない。
【００４２】
以上のように、本実施の形態のパレット１は、前記複数の長尺部材２…と、前記複数の上面板材３…と、前記複数の下面板材４…と、前記複数の脚材５…と、前記複数の棒状部材６…と、を備えて構成されている。
なお、前記複数の棒状部材６…を除く各部材は木製であり、これら各部材はビス止めされて接合されており、接着剤等は使用しないものとする。
【００４３】
また、本実施の形態のパレット１は、図１，図２に示すように、フォークリフトのフォークの長さよりも倍以上長いものが採用されているが、これに限られるものではない。例えば図８に示すようなフォークリフトのフォークの長さよりも若干長い程度のパレット１Ａや、フォークよりも短いパレット（図示せず）、前記長尺部材２の本数をもっと増やしたパレット（図示せず）など、様々な形態のパレットを採用してもよいものとする。
【００４４】
また、輸送時にはパレット１を引き摺って移動させる場合があるため、当該パレット１の下面には、摩擦低減手段が設けられることが好ましい。摩擦低減手段としては、例えば潤滑油や、蝋（ロウ）、シリコンスプレー等、様々なものを採用できる。
なお、本実施の形態においては、前記複数の脚材５…の下面に摩擦軽減手段が設けられているものとする。これら複数の脚材５…を用いないパレット１の場合は、前記複数の下面板材４…の下面に摩擦軽減手段が設けられる。
【００４５】
次に、建築材料の輸送方法について説明する。
本実施の形態の建築材料の輸送方法は、前記パレット１の上面に、建物等の建築現場で用いられる各種建築材料を載置して当該建築現場に輸送し、建築現場に輸送後、前記各種建築材料を荷下ろしするとともに、前記パレット１を解体して前記各部材を建築材料として用いる、というものである。
ここで、前記各部材とは、前記複数の長尺部材２…と、前記複数の上面板材３…と、前記複数の下面板材４…と、前記複数の脚材５…と、前記複数の棒状部材６…とを指す。
【００４６】
より詳細に説明すると、前記パレット１は、建築現場に建築される建物用のパレットとして製造される。換言すれば、本実施の形態の建築材料の輸送方法は、前記建物の構成部材である前記建築材料によって前記パレット１を形成し、前記パレット１として形成しなかった前記建物の構成部材である前記各種建築材料を、前記パレット１の上面に載置して輸送する、というものである。
【００４７】
前記パレット１を前記各部材で形成し、前記各種建築材料を前記パレット１の上面に載置したら、前記建物が建築される建築現場へと輸送する。
なお、図１〜図３に示すように、前記複数の長尺部材２…のうち隣り合う長尺部材２，２間には隙間が形成されるため、この隙間に、前記各種建築材料を収納して輸送してもよいものとする。また、前記パレット１の上面に前記各種建築材料を載せた後は、ビニールシート等によって梱包し、前記バンドによって前記各種建築材料を結束する。
【００４８】
前記パレット１をフォークリフトで運搬する際は、当該パレット１の長辺側からフォークを差し込む。すなわち、前記パレット１は、前記建築材料によって構成され、かつ前記各種建築材料を載置するため比較的長尺に設定されている。このため、長辺側からフォークを差し込めば前記パレット１をバランスよく運搬できる。
長辺側からフォークを差し込む際は、前記複数の脚材５…に対して、フォーク差込用の隙間を形成したり、脚材５を断続的な形状としたりしてもよい。しかし、前記脚材５に手を加えることによる構造的な強度の低下や、前記パレット１をスライド移動させにくくなることを防ぐためには、前記パレット１の下方に、前記複数の脚材５…と交差して配置される角材等を噛ませることが好ましい。
【００４９】
前記パレット１をトラック等の輸送車両の荷台に積み込む際は、前記パレット１を、当該パレット１の長さ方向と前記荷台の長さ方向とが沿うように積み込む。この時、前記複数の棒状部材６，６が設けられる前記パレット１の一端部は、前記荷台の後部側に配置されることが好ましい。
前記複数の棒状部材６，６が前記荷台の後部側にあれば、前記索状体を引っ掛けやすいため、前記荷台に積み込む際も前記荷台から下ろす際も、前記棒状部材６，６を使用でき、前記パレット１の前記荷台に対する上げ下げ作業がしやすくなる。
なお、前記パレット１および前記各種建築材料を輸送する手段としては、車両だけに限られるものではなく、船舶や航空機等も含むものとする。また、前記パレット１の前記輸送車両の荷台への積み込みも、船舶輸送用のコンテナーへの積み込みも略同様の方法で行われるものとする。
【００５０】
建築現場へ輸送した後は、上述のように前記各種建築材料を荷下ろしするとともに、前記パレット１を解体する。
前記複数の長尺部材２…と、前記複数の上面板材３…と、前記複数の下面板材４…と、前記複数の脚材５…とは、上述のようにビス止めによってのみ接合されているので、前記パレット１の解体は比較的容易に行うことができる。
【００５１】
前記パレット１の解体後は、前記複数の長尺部材２…と、前記複数の上面板材３…と、前記複数の下面板材４…と、前記複数の脚材５…と、前記複数の棒状部材６，６と、前記各種建築材料とを用いて、前記建物を建築する。
なお、本実施の形態において前記建物は住宅である。
例えば図６に示すように、前記複数の長尺部材２…は土台および柱として利用されている。また、前記複数の上面板材３…および前記複数の下面板材４…は床面（床下地）として利用されている。また、前記複数の脚材５…は、図示はしないが、例えば桟材として利用されている。また、前記複数の棒状部材６，６は、上述のように前記長尺部材２，２同士を接合する接合金物として利用されている。
【００５２】
図６についてより詳細に説明すると、土台である前記長尺部材２には前記埋設部材８が埋設されており、この埋設部材８は基礎から突出するアンカーボルト９の上端部に固定されている。また、当該長尺部材２の側面から係止ピン８ａが挿入され、この係止ピン８ａは前記埋設部材８に形成された係止孔に挿通されている。
【００５３】
また、前記埋設部材８には前記棒状部材６が立設されており、この棒状部材６は前記土台である長尺部材２の上面から突出している。
柱である前記長尺部材２にはその下端面に開口する柱孔２ｂが形成されており、当該長尺部材２の下端面を前記土台である長尺部材２の上面に当接した状態で、この柱孔２ｂに前記棒状部材６が挿入されている。棒状部材６には軸方向と直交する方向に貫通する係止孔６ａが形成されており、この係止孔６ａに前記柱である長尺部材２の側面から挿入された係止ピン６ｂが挿通されている。このようにして前記土台である長尺部材２には前記柱である長尺部材２が接合されている。なお、前記柱である長尺部材２には係止ピン６ｂを挿入するための挿入孔が予め形成されている。
【００５４】
また、前記土台である長尺部材２の上面に、前記床下地である上面板材３または下面板材４が敷き込まれている。この床下地は、図６に示す長尺部材２，２同士の接合部に対応した加工が施されている。すなわち、前記柱である長尺部材２の形状に対応して、角部が入隅状に切削された状態となっている。なお、このように角部が切削されたような上面板材３または下面板材４も、前記パレット１を構成する部材として用いることができる。
以上のようにして、前記パレット１を解体して、前記複数の長尺部材２…と、前記複数の上面板材３…と、前記複数の下面板材４…と、前記複数の脚材５…と、前記複数の棒状部材６…とを、前記建物の建築材料として用いることができる。
【００５５】
本実施の形態によれば、前記複数の長尺部材２…および前記複数の上面板材３…を建築材料として用いることができるので、当該複数の長尺部材２…および複数の上面板材３…は、前記各種建築材料とともに前記建物等の建築に用いられることになる。すなわち、前記複数の長尺部材２…および前記複数の上面板材３…を前記パレット１の構成部材として、また建築材料として両用できる。これによって、前記パレット１の回収に係る手間が無くなるので、産業廃棄物処理等についての問題も解消できる。さらに、建築材料の確保も可能となるので都合が良い。
【００５６】
なお、木材の輸出入に際しては、病害虫の蔓延と侵入を防ぐために、様々な措置を取る必要がある。このような措置については、国際植物防疫条約事務局が開示している「国際貿易における木材こん包材の規制に関するガイドライン」において示されており、通常、これに基づいて様々な措置が取られている。例えば輸出時には、前記パレット１や各種建築材料は“くん蒸”処理を施し、輸出先に病害虫が蔓延しないような措置が取られている。これに対し、本実施の形態においては、前記パレット１は回収の必要が無いので、例えばリターナブル方式の木製パレットを輸出先から自国に持ち帰る際の“くん蒸”処理も必要が無くなり、手間を減らすことができる。
【００５７】
また、以下の各項目に記載のような規制の対象外となる木材を用いることで、輸出入時における様々な措置を取る手間を省略することができる。
１．薄い木材（厚みが６ｍｍ 以下）で全体が作成された木材こん包材
２．接着剤、熱、圧力、あるいはその組み合わせで作られた合板、パーティクルボード、ＯＳＢ（配向性ストランドボード）、またはベニヤなどの木材ベースの製品で全面的に作られた木材こん包材
３．製造中に加熱されたワイン／蒸留酒用の樽
４．病害虫が存在しないよう加工及び／または製造された木材から作成されたワイン、葉巻き、及びその他の商品用のギフトボックス
５．おがくず、木材かんな屑、木毛
６．貨物船及びコンテナーから分離することのできない木製構造物
これに対し、本実施の形態のパレット１は、項目２の規制の対象外である木材が使用されるため、輸出入時における様々な措置を取る手間を省略できることとなる。
【００５８】
また、前記長尺部材２は、前記建物を構成するに足る強度を有するため、このような長尺部材２によって構成される前記パレット１の強度も高めることができる。
【００５９】
また、前記複数の下面板材４…を前記パレット１の構成部材として、また建築材料として両用できるので、前記パレット１の回収に係る手間を無くすことができ、都合がよい。また、前記長尺部材２および前記上面板材３とは別の建築材料を確保できることになる。
【００６０】
また、前記複数の上面板材３…および前記複数の下面板材４…は、前記建物を構成するに足る強度を有するため、このような複数の上面板材３…および複数の下面板材４…によって構成される前記パレット１の強度も高めることができる。
【００６１】
また、前記パレット１の下面に前記複数の脚材５…が設けられるので、前記パレット１をスライドさせて移動させる際に、例えば前記パレット１の下面全体が地面等に接する場合に比してスライドさせやすくなる。
また、前記複数の脚材５…を前記パレット１の構成部材として、また建築材料として両用できるので、前記パレット１の回収に係る手間を無くすことができ、都合がよい。また、前記長尺部材２および前記上面板材３とは別の建築材料を確保できることになる。
【００６２】
また、前記パレット１に前記複数の棒状部材６，６が設けられるので、前記索状体を用いて前記パレット１を移動させる際に、例えば前記索状体を前記パレット１や当該パレット１の上面に載置される前記各種建築材料に巻きつける場合に比して、前記索状体を引っ掛けやすく、前記パレット１を移動させやすい。
また、前記複数の棒状部材６，６を前記パレット１の構成部材として、また建築材料として両用できるので、前記パレット１の回収に係る手間を無くすことができ、都合がよい。また、前記長尺部材２および前記上面板材３とは別の建築材料を確保できることになる。
【符号の説明】
【００６３】
１  パレット
２  長尺部材（建築材料）
３  上面板材（建築材料）
４  下面板材（建築材料）
５  脚材（建築材料）
６  棒状部材（建築材料）
【図１】
2014141259.tif 000003
【図２】
2014141259.tif 000004
【図３】
2014141259.tif 000005
【図４】
2014141259.tif 000006
【図５】
2014141259.tif 000007
【図６】
2014141259.tif 000008
【図７】
2014141259.tif 000009
【図８】
2014141259.tif 000010